(57)【要約】【目的】  清掃部材を保持具本体に着脱するときに、清掃部材及び保持具本体に手を触れずに着脱でき、手を汚すことが全くなく清潔に清掃できる清掃部材保持具を提供する。【構成】  柄１０を有する保持具本体２に、清掃部材７の上面のポケット部８に着脱可能に差し込んで清掃部材７を保持する保持片３、４を備えた清掃部材保持具１において、保持片３、４が開脚状態から清掃部材７の上面のポケット部８に差し込まれた際に、柄１０を浅く押し込むことにより保持具本体２に保持片３、４が水平向きにロックされる係止手段３０が設けられ、柄１０を更に深く押し込むことによりロック状態が解除されて保持片を開脚可能にする係止解除手段３１が設けられている。【選択図】  図１３
2006110060.tif 000002
【特許請求の範囲】
【請求項１】
柄を有する保持具本体に、清掃部材上面のポケット部に着脱可能に差し込んで清掃部材を保持する保持片を備えた清掃部材保持具において、前記保持片が垂下状態から前記清掃部材上面のポケット部に差し込まれた際に、前記柄を浅く押し込むことにより前記保持具本体に前記保持片が水平向きにロックされる係止手段が設けられ、前記柄を更に深く押し込むことにより前記ロック状態が解除されて前記保持片を垂下可能にする係止解除手段が設けられていることを特徴とする清掃部材保持具。
【請求項２】
前記係止解除手段は、ロック解除状態保持手段を備え、このロック解除状態保持手段は、前記保持片が清掃部材のポケット部に差し込まれた水平状態を保持し、前記柄を持ち上げたときに、この保持片を垂下状態にする請求項１に記載の清掃部材保持具。
【請求項３】
前記係止手段は、前記保持片に内向き側に突出して設けられた左右一対の保持側係止片と、前記保持具本体内に内外移動可能に配設され外向きに突出された係止爪を有する左右一対の係止部材とを有し、前記柄を浅く押し込んだときに前記保持側係止片が上動して前記係止部材が内向きに移動した後、前記係止部材が外向きに移動して前記係止爪が前記保持側係止片の下側に入りこんで係合し、前記保持片を水平向きにロックする請求項１又は２に記載の清掃部材保持具。
【請求項４】
前記係止部材の係止爪には、上側外向きに傾斜するテーパー面が形成され、前記保持側係止片には、下側外向きに傾斜するテーパー面が形成されており、前記保持側係止片の上動によって、前記保持側係止片のテーパー面が前記係止爪のテーパー面に沿って上側に移動し、互いのテーパー面の頂点を過ぎた位置で前記係止爪の上面が前記保持側係止片の下面に入り込んで前記保持側係止片と前記係止爪が係合する請求項３に記載の清掃部材保持具。
【請求項５】
前記左右一対の係止部材には、両側端から外側に弾性部が延設され、これら弾性部で前記左右一対の係止部材が弾発状態で内外移動可能に構成されている請求項３又は４に記載の清掃部材保持具。
【請求項６】
前記係止解除手段は、前記保持具本体内に配設されて前記柄を深く押し込んだ際に下向きに移動する押圧部材と前記係止部材から構成され、前記押圧部材の下端及び／又は前記係止部材の上端にテーパー面が形成され、前記押圧部材が深く押し込まれたときに前記係止部材が内向きに移動してこの係止部材の係止爪と前記保持側係止片との係合状態が解除される請求項３、４又は５に記載の清掃部材保持具。
【請求項７】
前記ロック解除状態保持手段は、前記保持片に内向きに突設された左右一対の突片の先端係合面と、前記係止部材の下面先端に設けられた係合用突起から構成され、前記係止状態が解除された後、柄を更に押し込むことにより前記係合用突起が前記先端係合面に係合して一時的にロック解除状態を保持する請求項２に記載の清掃部材保持具。
【請求項８】
前記左右一対の係止部材の内側上面にバネ受け部材が載置され、前記押圧部材とこのバネ受け部材との間に、押圧部材を上向きに付勢するスプリングが配設されている請求項６に記載の清掃部材保持具。
【請求項９】
前記押圧部材の上面に受け部が設けられ、前記柄の下側にジョイントが取り付けられており、前記柄を下向きに押し込んだときに、前記ジョイントの下面が前記押圧部材の受け部に当接して前記押圧部材を押し下げる請求項６又は８に記載の清掃部材保持具。
【請求項１０】
前記保持片は左右一対設けられてＸ字状に交叉されており、その交叉部がスライド可能に連結され、前記清掃部材上面にはポケット部が形成されていて、前記左右一対の保持片が水平向きになったときに、これら保持片が前記ポケット部に挿入されて前記清掃部材が前記左右一対の保持片に取り付けられるようにした請求項１乃至９のいずれかに記載の清掃部材保持具。
【請求項１１】
前記一対の保持片における外側の保持片には、その保持具本体側両端部に、保持具本体に穿設された枢支孔に入り込む外向き枢支軸部が設けられると共に、長手方向略中央に内向き突部が設けられており、内側の保持片の保持具本体側両端部に、前記保持具本体に突設された支持片に穿設された枢支孔に入り込む内向き枢支軸部が設けられ、前記内側の保持片に長手方向略中央部から保持具本体側に向けて形成され前記外側の保持片の内向き突部がスライド可能に入り込む長溝が設けられている請求項１０に記載の清掃部材保持具。
【発明の詳細な説明】
【技術分野】
【０００１】
本発明は、柄を有する保持具本体に、清掃部材上面のポケット部に着脱可能に差し込んで清掃部材を保持する保持片を備えた清掃部材保持具に関するものである。
【背景技術】
【０００２】
従来、この種の清掃部材保持具の一例として、本出願人が先に出願したモップ保持具がある。図２１、図２２、図２３は、特開平１１−８９７７９号（特許文献１）に開示された上記モップ保持具の構成図である。このモップ保持具は、図２１、図２２、図２３に示すように、一対の支持片１１０、１１１を、Ｘ字形に交叉させてその交叉部をヒンジ部１１４により回動自在に連結している。保持具本体１０１の下面に、一方の支持片１１１の上端部は定軸芯回りに下方回動自在に支持され、他方の支持片１１０の上端部は保持具本体１０１の長手方向にスライド自在に支持されている。他方の支持片１１１の自由端部と保持具本体１０１との間には、自由端部を保持具本体１０１側へと押し付けることにより、湾曲ばね１２０の弾性に抗して係合し支持片１１０、１１１を水平状態にロックするロック機構１１７を備えている。また、このロック機構１１７は、本体上面に露出する押込可能な解除ボタン１２２を備えている。
【０００３】
ロック機構１１７は、保持具本体１０１に形成された上面開口状の円筒形の取付台１１８と、左右一対の湾曲ばね１２０を一体に有する前後一対のロック爪１２１を備えている。更に、取付台１１８内に上下方向移動可能に嵌合すると共に上面が保持具本体１０１の上面に露出するロック解除ボタン１２２が備えられている。また、他方の支持片１１１には、ロック機構１１７のロック爪１２１が係合可能な係合突起１２３が前後一対形成されている。（特許文献１参照）
【０００４】
このモップ保持具は、モップＭを交換する場合、解除ボタン１２２の傾斜面１４５と連結部１３５の傾斜面１４３とのカム作用により、両ロック爪１２１を前後幅中心側へと押し縮め、ロックを解除する。これにより両支持片１１０、１１１を下降させてＸ形に開き、モップＭが両支持片１１０、１１１から抜け落ちるようになっている。この従来技術のモップ保持具では、モップＭに手を触れることなく、解除ボタン１２２を押すだけでモップＭを保持具本体１０１から外すことができるので、作業員があまり手を汚す必要がない。
【特許文献１】特開平１１−８９７７７号公報
【発明の開示】
【発明が解決しようとする課題】
【０００５】
しかしながら、上記した従来のモップ保持具では、モップＭで清掃するときに、保持具本体１０１が汚れる場合があり、この保持具本体１０１に設けられた解除ボタン１２２も汚れてしまう。この汚れた解除ボタン１２２を手で押してロック状態を解除して、保持具本体１０１からモップＭを外すときに手が汚れてしまうことがあった。更に、解除ボタン１２２を手で押すときに、手を保持具本体１０１の解除ボタン１２２までのばして押さなくてはならないため、この作業が面倒であった。
【０００６】
また、従来の他の清掃用具は、モップや払拭布などの清掃部材を手で掴んで保持具本体から取り外す構造が殆どで、これらの清掃用具においては、清掃した後の汚れた清掃部材で手がより一層汚れてしまうという問題があった。
【０００７】
本発明は上記従来の実情に鑑みてなされたものであって、柄を浅く押すだけで保持具本体に清掃部材を簡単に装着できるとともに、柄を深く押すだけで保持具本体から清掃部材を簡単に取り外すことができる清掃部材保持具が提供される。従って、清掃部材を保持具本体に着脱するときに、清掃部材及び保持具本体に手を触れずに着脱でき、手を汚すことが全くなく清潔に清掃できる清掃部材保持具を提供することを目的とする。
【課題を解決するための手段】
【０００８】
本発明は、上記課題を解決するために提案されたものであって、本発明の第１の形態は、柄を有する保持具本体に、清掃部材上面のポケット部に着脱可能に差し込んで清掃部材を保持する保持片を備えた清掃部材保持具において、前記保持片が垂下状態から前記清掃部材上面のポケット部に差し込まれた際に、前記柄を浅く押し込むことにより前記保持具本体に前記保持片が水平向きにロックされる係止手段が設けられ、前記柄を更に深く押し込むことにより前記ロック状態が解除されて前記保持片を垂下可能にする係止解除手段が設けられている清掃部材保持具である。
【０００９】
本発明の第２の形態は、前記係止解除手段が、ロック解除状態保持手段を備え、このロック解除状態保持手段は、前記保持片が清掃部材のポケット部に差し込まれた水平状態を保持し、前記柄を持ち上げたときに、この保持片を垂下状態にする清掃部材保持具である。
【００１０】
本発明の第３の形態は、前記係止手段が、前記保持片に内向き側に突出して設けられた左右一対の保持側係止片と、前記保持具本体内に内外移動可能に配設され外向きに突出された係止爪を有する左右一対の係止部材とを有し、前記柄を浅く押し込んだときに前記保持側係止片が上動して前記係止部材が内向きに移動した後、前記係止部材が外向きに移動して前記係止爪が前記保持側係止片の下側に入りこんで係合し、前記保持片を水平向きにロックする清掃部材保持具である。
【００１１】
本発明の第４の形態は、前記係止部材の係止爪には、上側外向きに傾斜するテーパー面が形成され、前記保持側係止片には、下側外向きに傾斜するテーパー面が形成されており、前記保持側係止片の上動によって、前記保持側係止片のテーパー面が前記係止爪のテーパー面に沿って上側に移動し、互いのテーパー面の頂点を過ぎた位置で前記係止爪の上面が前記保持側係止片の下面に入り込んで前記保持側係止片と前記係止爪が係合する清掃部材保持具である。
【００１２】
本発明の第５の形態は、前記左右一対の係止部材には、両側端から外側に弾性部が延設され、これら弾性部で前記左右一対の係止部材が弾発状態で内外移動可能に構成されている清掃部材保持具である。
【００１３】
本発明の第６の形態は、前記係止解除手段が、前記保持具本体内に配設されて前記柄を深く押し込んだ際に下向きに移動する押圧部材と前記係止部材から構成され、前記押圧部材の下端及び／又は前記係止部材の上端にテーパー面が形成され、前記押圧部材が深く押し込まれたときに前記係止部材が内向きに移動してこの係止部材の係止爪と前記保持側係止片との係合状態が解除される清掃部材保持具である。
【００１４】
本発明の第７の形態は、前記ロック解除状態保持手段が、前記保持片に内向きに突設された左右一対の突片の先端係合面と、前記係止部材の下面先端に設けられた係合用突起から構成され、前記係止状態が解除された後、柄を更に押し込むことにより前記係合用突起が前記先端係合面に係合して一時的にロック解除状態を保持する清掃部材保持具である。
【００１５】
本発明の第８の形態は、前記左右一対の係止部材の内側上面にバネ受け部材が載置され、前記押圧部材とこのバネ受け部材との間に、押圧部材を上向きに付勢するスプリングが配設されている清掃部材保持具である。
【００１６】
本発明の第９の形態は、前記押圧部材の上面に受け部が設けられ、前記柄の下側にジョイントが取り付けられており、前記柄を下向きに押し込んだときに、前記ジョイントの下面が前記押圧部材の受け部に当接して前記押圧部材を押し下げる清掃部材保持具である。
【００１７】
本発明の第１０の形態は、前記保持片が左右一対設けられてＸ字状に交叉されており、その交叉部がスライド可能に連結され、前記清掃部材上面にはポケット部が形成されていて、前記左右一対の保持片が水平向きになったときに、これら保持片が前記ポケット部に挿入されて前記清掃部材が前記左右一対の保持片に取り付けられるようにした清掃部材保持具である。
【００１８】
本発明の第１１の形態は、前記一対の保持片における外側の保持片には、その保持具本体側両端部に、保持具本体に穿設された枢支孔に入り込む外向き枢支軸部が設けられると共に、長手方向略中央に内向き突部が設けられており、内側の保持片の保持具本体側両端部に、前記保持具本体に突設された支持片に穿設された枢支孔に入り込む内向き枢支軸部が設けられ、前記内側の保持片に長手方向略中央部から保持具本体側に向けて形成され前記外側の保持片の内向き突部がスライド可能に入り込む長溝が設けられている清掃部材保持具である。
【発明の効果】
【００１９】
本発明の第１の形態によれば、保持片を清掃部材のポケット部に差し込んだ後柄を浅く押し込んだときに、保持具本体に保持片が係止手段で水平向きにロックされるので、保持具本体と清掃部材に手を触れることない。このことにより、清掃部材を保持具本体に装着するときに、手を汚すことが全くない。また、保持具本体に保持片が装着された状態で、柄を深く押し込むことにより前記ロック状態が解除されて保持片が垂下可能になる。このことにより、清掃部材を保持具本体から取り外すときに、清掃部材と保持具本体に手を触れることがなく、手を汚すことが全く無くなる。また、柄を浅く押し込んだり深く押し込んだりするだけで、保持具本体に清掃部材を装着したり保持具本体から清掃部材を取り外すことができるので、保持具本体への清掃部材の着脱を簡単に行うことができる。清掃部材としては、基布に多数のパイルを植成したモップ、基体下面にスポンジを取り付けたものや基体下面にブラシを取り付けたものなどがある。これらいずれの清掃部材にも本発明は適用できる。また、清掃用布体（織布、編布、不織布など）の上面にポケット部を形成することにして本発明を適用することができる。
【００２０】
また、保持片としては、保持具本体に枢着された垂下可能な一本の保持片でも、保持具本体の左右に枢着された垂下可能な左右一対の保持片でもよい。垂下可能な一本の保持片の場合には、清掃部材上面の左右にポケット部を形成し、水平固定された垂下不能な保持片を一方のポケット部に挿入し、垂下可能な保持片を他方のポケット部に挿入する。一本の保持片を柄操作だけで垂下可能にすれば、清掃部材を着脱できる。また、垂下可能な左右一対の保持片の場合には、清掃部材上面の左右両端にポケット部を形成して、それぞれの保持片の先端部を左右両端のポケット部に挿入して清掃部材を保持具本体に装着することができる。このように、垂下可能な保持片が１本でも２本でも、本発明を適用することが可能である。
【００２１】
本発明の第２の形態によれば、係止解除手段に備えられたロック解除保持手段によって、ロック解除状態が保持されることにより、柄を持ち上げないときには、ロック解除状態でも保持具本体に対して保持片を水平向きに保持できる。このことにより、保持片を水平向きにしたままでも、ロック解除状態からロック状態に逆戻りすることを防げる。柄を持ち上げることにより、保持片と清掃部材の自重によって保持片が垂下状態になり、保持具本体から清掃部材を簡単に取り外しすることができる。従って、保持具本体と清掃部材に手を触れることがないので、手を汚すことが全くない。
【００２２】
本発明の第３の形態によれば、係止手段が、保持片に内向き側に突出して設けられた左右一対の保持側係止片と、保持具本体側に配設され係止爪を有する左右一対の係止手段とからなるので、構造を簡単化することができる。また、係止手段の係止爪が保持側係止片の下側に入り込んで確実に係合する。このことにより、この係合状態が不用意に外れることがなく、確実に保持片を水平向きにロックした状態を保つことができる。従って、清掃するときに清掃部材が保持具本体から不用意に外れることがなく、清掃が行い易い。
【００２３】
本発明の第４の形態によれば、保持側係止片のテーパー面が係止部材の係止爪のテーパー面に沿って移動し、互いのテーパー面の頂点を過ぎた位置で係止爪の上面が保持側係止片の下面に入り込むので、その動作をスムーズにできる。従って、柄を浅く押し込む際に、強い力を必要とせず軽い力で押し込むことができる。また、係止爪の上面が保持側係止片の下面にいりこんでロックされるので、このロック状態が清掃時に外れることがない。特に、女性や子供などが清掃する場合でも、柄を軽い力で楽に押し込んで保持片を水平向きにロックして清掃部材を保持具本体に装着することがことができる。これとともに、このロック状態を外れることなく確実に保持でき清掃を簡単に行うことができる。
【００２４】
本発明の第５の形態によれば、左右一対の係止部材の両側端から外側に延設された弾性部で、左右一対の係止部材を弾発状態で内外移動可能（開閉可能）とする構造なので、他の弾性部材を必要とすることがなく構造を簡単化することができる。また、部品点数を少なくすることができる。更に、弾性部が左右一対の係止部材と一体に形成されているので、構造を強化することができる。また、左右一対の係止部材の開閉を確実に且つスムーズに行うことができる。この弾性部は略Ｕ字形や略円弧形状に形成することにより、前記弾発状態を有効に発現できる。
【００２５】
本発明の第６の形態によれば、柄を深く押し込んだ際に、押圧部材の下端及び係止部材の上端のテーパー面に沿って係止部材をスムーズに内向きに移動することができる。また、係止部材の内向きの移動でこの係止部材の係止爪と保持側係止片との係合状態が解除されるので、柄を深く押し込むことによりこの係合状態の解除を簡単に行うことができる。このテーパー面は、押圧部材の下端又は係止部材の上端のいずれか一方に形成して、他方は板状、棒状や略半球状等の端部としてもよい。また、押圧部材の下端と係止部材の上端の両方にテーパー面を形成して、これら両テーパー面が互いに接して係止部材が内向きに移動するように構成してもよい。
【００２６】
本発明の第７の形態によれば、保持片における左右一対の突片の先端係合面と係止部材の下面の係合用突起が係合するので、別部材を用いずにその構造を簡単化できる。柄を更に押し込むだけで係合用突起と先端係合面を係合するので、解除状態を保持する操作を簡単に行うことができる。また、この係合によって、保持片が水平向きに保持されていても元のロック状態に戻らないようにでき、誤動作を防ぐことができる。更に、柄を持ち上げることにより、このロック解除状態保持から保持片と清掃部材の自重によって保持片を簡単に垂下できる。
【００２７】
本発明の第８の形態によれば、バネ受け部材と押圧部材との間にスプリングを配設したので、押圧部材をこのスプリングで自動的に上向きに付勢移動でき、押圧部材を元の位置に自動的に復帰させることができる。また、押圧部材を押し込むときに、弾発力を持って押し込むことができるので、柄を持つ手に心地よい反動を感じながら押し込むことができる。
【００２８】
本発明の第９の形態によれば、柄の下端に取り付けたジョイントの下面を押圧部材の受け部に当接して押圧部材を押し下げるようにしたので、ジョイントの本来の動作に加えて押圧部材の押し下げ動作も兼ねることができる。これら２つの動作を一つの部材即ちジョイントで行うように構成したので、部品点数を最小限に抑えることができ、構造を簡単化できる。
【００２９】
本発明の第１０の形態によれば、左右一対の保持片をＸ字状に交叉したので、これら左右一対の保持片を容易に垂下したり水平向きにしたりできる。また、左右一対の保持片を備えている場合、清掃部材のポケット部は、清掃部材の左右両端に設ければよい。このポケット部の各々に左右一対の保持片の各先端部付近を差し込むことによって、清掃部材が保持具本体に装着されるので、清掃部材の装着状態が安定した状態となり、不用意に清掃部材が外れない利点がある。
【００３０】
本発明の第１１の発明によれば、各保持片が保持具本体の枢支孔で回動自在に枢着されるようにしたので、その構造を簡単化できるとともに、各保持片の垂下動作（回動動作）をスムーズにできる。また、内側の保持片に形成された長溝に外側の保持片の内向き突部がスライド可能に入り込んでいるので、両保持片の垂下動作をスムーズに行うことができる。従って、清掃部材のポケット部への保持片の装着を簡単且つ確実に行うことができ、清掃時に清掃部材が保持具本体から離脱することを防ぐことができて清掃を行い易い。
【発明を実施するための最良の形態】
【００３１】
以下、本発明に係る清掃部材保持具の実施の形態を、添付する図面に従って詳細に説明する。
【００３２】
図１は本発明の実施形態の清掃部材保持具にモップからなる清掃部材を装着した状態の斜視図である。図１に示すように、本実施形態の清掃部材保持具１は、保持具本体２に左右一対の保持片３、４が水平向きにロックされている。基布５に多数のパイル６が植成されたモップからなる清掃部材７の上面における左右のポケット部８、８に、水平向きにロックされた状態で左右一対の保持片３、４が挿入されている。保持具本体２にはその中央部に左右一対の取付用突起２ａ、２ａが上向きに突設されていて、これら取付用突起２ａ、２ａの間に回動自在にジョイント９が取り付けられている。このジョイント９の上端に柄１０の二股状下部１０ａが回動自在に取り付けられていて、柄１０は前後左右に傾倒できるように構成されている。図１の状態で作業員が柄１０を持って清掃部材７のパイル６を床面などに押し付けて清掃する。
【００３３】
図２は実施形態の清掃部材保持具から清掃部材を取り外した状態の斜視図である。図２に示すように、図１の状態から柄１０を深く押し込むと係止手段によるロック状態が解除されて、清掃部材７の自重により左右一対の保持片３、４がＸ字形に垂下される。これにより、保持片３、４が清掃部材７のポケット部８、８から離脱して清掃部材保持具１から清掃部材７が取り外される。左右一対の保持片３、４は先端のポケット挿入片部１１、１２と前後の板状腕部１３、１４とでそれぞれ構成されている。後述するが、左右一対の保持片３、４の板状腕部１３、１４はその端部が保持具本体２の前後縁に枢支されていると共に、内側の保持片３の板状腕部１３の外側面に所定長さ形成された長溝１５、１５に、外側の保持片４の板状腕部１４に内向きに突設された内向き突部１６、１６がスライド可能に入り込んでいる。
【００３４】
図３は左右一対の保持片が水平向きにロックされた状態の清掃部材保持具の正面図である。図３に示すように、清掃部材保持具１は、左右一対の保持片３、４が水平向きにロック状態で保持されるようになっている。このとき、左右一対の保持片３、４のポケット挿入片１１、１２は保持具本体２の左右端から突出され、板状腕部１３、１４は保持具本体２内に収容されて外部に露出しない状態になっている。
【００３５】
図４は図３の状態から保持片を垂下した状態の清掃部材保持具の正面図である。図４に示すように、左右一対の保持片３、４はロック状態が解除されると、Ｘ字形に垂下される。左右一対の保持片３、４の板状腕部１３、１４の端部は保持具本体２に枢支されている。また、前述したように、内側の保持片３の板状腕部１３の外側面に所定長さ形成された長溝１５、１５に、外側の保持片４の板状腕部１４に内向きに突設された内向き突部１６、１６がスライド可能に入り込んでいる。
【００３６】
図５は清掃部材保持具における保持具本体の裏面図である。図５に示すように、保持具本体２の前後側壁部の一端部には枢支孔２ｂ、２ｂが穿設されており、左右側壁部の他端部には支持片２ｃ、２ｃが内向きに突設されていて、これらの支持片２ｃ、２ｃに枢支孔２ｄ、２ｄが穿設されている。また、保持具本体２の左右側壁部には、両保持片３、４の板状腕部１３、１４が入り込む切溝２ｅ、２ｆが形成されている。
【００３７】
図６は清掃部材保持具における外側の保持片の平面図である。図６に示すように、外側の保持片４の板状腕部１４、１４には、その端部に外向き枢支軸部１７、１７が突設され、略中央位置には内向き突部１６、１６が突設されている。
【００３８】
図７は清掃部材保持具における内側の保持片の平面図である。図７に示すように、内側の保持片３の板状腕部１３、１３には、その端部に内向き枢支軸部１８、１８が突設され、外面の所定位置には長溝１５、１５が形成されている。また、板状腕部１３、１３の内面側の所定位置には、一対の保持側係止片１９、１９と一対の突片２０、２０が突設され、突片２０、２０には先端係合面２０ａ、２０ａが形成されている。
【００３９】
図８は図６に示す外側の保持片と図７に示す内側の保持片を組み付けた状態の平面図である。図８に示すように、内側の保持片３と外側の保持片４とを組み付けると、内側の保持片３における板状腕部１３、１３の長溝１５、１５に外側の保持片４における板状腕部１４、１４の内向き突部１６、１６がスライド可能に入り込んだ状態となる。
【００４０】
図９は図８のＡ−Ａ線断面図である。図９に示すように、内側の保持片３における板状腕部の長溝１５、１５に外側の保持片４における板状腕部１４、１４の内向き突部１６、１６が入り込んでいる。これら長溝１５、１５と内向き突部１６、１６との間に若干の隙間がある。また、保持側係止片１９、１９の端部の上面には下広がり状のテーパー面１９ａ、１９ａが形成されている。また、突片２０、２０の先端の板状部分には、その内側に下広がり状のテーパー面２０ｂ、２０ｂが形成されている。
【００４１】
図１０は図５に示す保持具本体に係止部材を組み込んだ状態の裏面図である。図１０に示すように、一対の係止部材２１、２１は保持具本体２の中央部に組み込まれ、保持具本体２内で内外移動可能に配設されている。この係止部材２１には、その両端から外側に略円弧状の弾性部２２が延設され、この弾性部材２２で一対の係止部材２１、２１が弾発状態で開閉可能（内外移動可能）に構成されている。この係止部材２１、２１は外向きに突出した係止爪２３を有している。
【００４２】
図１１は係止部材を示し、（１１Ａ）はその正面図、（１１Ｂ）はその裏面図、（１１Ｃ）は（１１Ｂ）のＢ−Ｂ線断面図である。（１１Ａ）、（１１Ｂ）、（１１Ｃ）に示すように、係止部材２１、２１は上記した係止爪２３を有し、この係止爪２３には、上側向きに傾斜するテーパー面２３ａが形成されている。また、係止部材２１、２１の下面には凹部２４が形成され、その先端に係合用突起２５が設けられている。また、この係合用突起２５には内側に傾斜するテーパー面２５ａが形成されている。更に、係止部材２１、２１の上端には上側内向きのテーパー面２１ａが形成されている。
【００４３】
図１２は左右一対の保持片が水平向きにロックされた状態の清掃部材保持具の裏面図である。図１２に示すように、左右一対の保持片３、４の板状腕部１３、１４は、保持具本体２の外側寄り位置に配設され、係止部材２１、２１はその内側に組み付けられるようになっている。左右一対の保持片３、４のポケット挿入片部１１、１２の裏面側には、補強用の縁部１１ａ、１２ａが設けられている。
【００４４】
図１３は左右一対の保持片が係止手段でロックされて水平向きに保持されている清掃部材保持具の縦断面図である。図１３に示すように、保持具本体２内の上部には略コ字形の押圧部材２６が配設されており、この押圧部材２６の両袖部の下端内側にはテーパー面２６ａ、２６ａが形成されている。このテーパー面２６ａ、２６ａは、一対の係止部材２１、２１における上端のテーパー面２１ａ、２１ａと向き合っている。一対の係止部材２１、２１の内側上面にはバネ受け部材２７が載置され、押圧部材２６とこのバネ受け部材２７との間に、押圧部材２６を上向きに付勢するスプリング２８が配設されている。また、押圧部材２６には上向きに突出片２６ｂが設けられ、この突出片２６ｂにジョイント９の回転軸２９の下端が接している。押圧部材２６の上面の円弧面２６ｃにはジョイント９の下面が接していて、柄１０を押し込むことによりジョイント９が押し込まれて押圧部材２６が下向きに押し込まれるように構成されている。
【００４５】
また、保持具本体２の開孔部２ｇの孔縁には、下側から上側に向けて縦溝２ｈが形成され、この縦溝２ｈの上端は水平縁２ｉに形成されている。一方、押圧部材２６の左右両端には、縦溝２ｈに入り込んで水平縁２ｉで係止される突起２６ｄが設けられ、この突起２６ｄは押圧部材２６が下側に向けて押し込まれるときに縦溝２ｈにガイドされて移動される。図１３の状態は、一対の係止部材２１、２１の係止爪２３、２３が内側の保持片３における保持側係止片１９、１９の下側に入り込んで係合されている。これにより、保持片３、４が水平向きにロックされた状態となっている。尚、保持片３の保持側係止片１９、１９と係止爪２３を有する一対の係止部材２１、２１とで係止手段３０が構成されている。
【００４６】
図１４は図１３の状態から柄を若干押し込んだ状態の清掃部材保持具の縦断面図である。図１４に示すように、柄１０を押し込むとジョイント９が押し込まれ、押圧部材２６が下向きに移動する。この押圧部材２６における両袖部の下端のテーパー面２６ａ、２６ａと係止部材２１、２１のテーパー面２１ａ、２１ａが接する。これによって、押圧部材２６のテーパー面２６ａ、２６ａで係止部材２１、２１のテーパー面２１ａ、２１ａが押され係止部材２１、２１が内側に移動する。
【００４７】
図１５は図１４の状態から柄を更に押し込んで係止手段のロック状態を解除し、ロック解除状態保持手段でロック解除状態を保持した状態の清掃部材保持具の縦断面図である。図１５に示すように、押圧部材２６が更に押し込まれると、係止部材２１、２１の係止爪２３、２３と内側の保持片３の保持側係止片１９、１９の係止が解かれて係止手段３０によるロックが解除される。尚、押圧部材２６と係止部材２１、２１で係止解除手段３１が構成されている。ロックが解除された後に、押圧部材２６が更に押し込まれ、係止部材２１、２１の凹部２４、２４内に内側の保持片３の突片２０、２０が入り込む。このとき、突片２０，２０の先端係合面２０ａ、２０ａと係合用突起２５，２５とが係合してロック解除状態が一時的に保持される。尚、突片２０，２０の先端係合面２０ａ、２０ａと係合用突起２５，２５でロック解除状態保持手段３２が構成されている。
【００４８】
図１６は図１５の状態から左右一対の保持片が垂下し始める状態の清掃部材保持具の縦断面図である。図１６に示すように、柄１０を持ち上げると保持片３，４に装着された清掃部材７の自重によりロック解除状態が保持された状態から、保持片３、４が下側に向けて垂下し始め、保持片３、４から清掃部材７が取り外される。尚、図１４、図１５、図１６において、柄１０は深く押し込まれている。
【００４９】
図１７は柄を若干押し込んで左右一対の保持片を上向きに押し上げる状態の清掃部材保持具の縦断面図である。図１７に示すように、保持片３，４が垂下した状態で柄１０を押し込むと、清掃部材からの反力で保持片３、４が上向きに押し上げられる。
【００５０】
図１８は図１７の状態から柄を更に押し込んで左右一対の保持片を更に上向きに押し上げた状態の清掃部材保持具の縦断面図である。図１８に示すように、保持片３、４が上向きに移動、即ち保持具本体２が下向きに移動すると、係止部材２１、２１の係止爪２３、２３のテーパー面２３ａ、２３ａに内側の保持片３における保持側係止片１９、１９のテーパー面１９ａ、１９ａが当接する。
【００５１】
図１９は図１８の状態から柄を更に押し込んで左右一対の保持片を更に若干押し上げた状態の清掃部材保持具の縦断面図である。図１９に示すように、保持片３、４が更に上向きに移動、即ち保持具本体２が下向きに更に移動すると、保持片３、４における保持側係止片１９、１９のテーパー面１９ａ、１９ａに押されて一対の係止部材２１、２１が内向きに移動する。
【００５２】
図２０は図１９の状態から柄を更に押し込んで左右一対の保持片が係止手段で水平向きにロックされた状態の清掃部材保持具の縦断側面図である。図２０に示すように、互いのテーパー面１９ａ、１９ａ及び２３ａ、２３ａの頂部を越すと、係止部材２１、２１の係止爪２３，２３が保持側係止片１９，１９の下側に入り込んで係止状態となり、ロックされる。このとき、清掃部材７のポケット部８、８に保持片３、４のポケット挿入片部１１，１２が挿入されて、清掃部材７が装着された状態となる。尚、図１７、図１８、図１９、図２０では、柄１０は浅く押し込まれる。
【００５３】
このように、係止状態から柄１０を深く押し込むと清掃部材保持具１から清掃部材７が離脱され、離脱された状態から柄１０を浅く押し込むと清掃部材７が清掃部材保持具１に装着される。尚、本実施形態では、清掃部材７として基布５に複数のパイル６を植成したモップについて説明したが、これに限らず、基体下面にスポンジを取り付けたものや基体下面にブラシを取り付けたもの、清掃面として基布面を利用するものなどの各種の清掃部材に適用できることは勿論である。
【００５４】
本発明は、上記実施形態や変形例に限定されるものではなく、本発明の技術的思想を逸脱しない範囲における種々変形例、設計変更などをその技術的範囲内に包含するものであることは云うまでもない。
【産業上の利用可能性】
【００５５】
この発明に係る清掃部材保持具は、清掃部材を装着した状態で、家庭や事務所の床、及び店舗の床などを清掃するときに用いられ、購入して使用しても清掃部材を定期的に取替えてメーカーなどからユーザーにレンタルするようにしてもよいものである。
【図面の簡単な説明】
【００５６】
【図１】本発明の実施形態の清掃部材保持具にモップからなる清掃部材を装着した状態の斜視図である。
【図２】実施形態の清掃部材保持具から清掃部材を取り外した状態の斜視図である。
【図３】左右一対の保持片が水平向きにロックされた状態の清掃部材保持具の正面図である。
【図４】図３の状態から保持片を垂下した状態の清掃部材保持具の正面図である。
【図５】清掃部材保持具における保持具本体の裏面図である。
【図６】清掃部材保持具における外側の保持片の平面図である。
【図７】清掃部材保持具における内側の保持片の平面図である。
【図８】図６に示す外側の保持片と図７に示す内側の保持片を組み付けた状態の平面図である。
【図９】図８のＡ−Ａ線断面図である。
【図１０】図５に示す保持具本体に係止部材を組み込んだ状態の裏面図である。
【図１１】係止部材を示し、（１１Ａ）はその正面図、（１１Ｂ）はその裏面図、（１１Ｃ）は（１１Ｂ）のＢ−Ｂ線断面図である。
【図１２】左右一対の保持片が水平向きにロックされた状態の清掃部材保持具の裏面図である。
【図１３】左右一対の保持片が係止手段でロックされて水平向きに保持されている清掃部材保持具の縦断面図である。
【図１４】図１３の状態から柄を若干押し込んだ状態の清掃部材保持具の縦断面図である。
【図１５】図１４の状態から柄を更に押し込んで係止手段のロック状態を解除し、ロック解除状態保持手段でロック解除状態を保持した状態の清掃部材保持具の縦断面図である。
【図１６】図１５の状態から左右一対の保持片が垂下し始める状態の清掃部材保持具の縦断面図である。
【図１７】柄を若干押し込んで左右一対の保持片を上向きに押し上げる状態の清掃部材保持具の縦断面図である。
【図１８】図１７の状態から柄を更に押し込んで左右一対の保持片を更に上向きに押し上げた状態の清掃部材保持具の縦断面図である。
【図１９】図１８の状態から柄を更に押し込んで左右一対の保持片を更に若干押し上げた状態の清掃部材保持具の縦断面図である。
【図２０】図１９の状態から柄を更に押し込んで左右一対の保持片が係止手段で水平向きにロックされた状態の清掃部材保持具の縦断面図である。
【図２１】従来のモップ保持具の縦断正面図である。
【図２２】従来のモップ保持具の支持片をＸ形に開いた状態の縦断正面図である。
【図２３】従来のモップ保持具の部分縦断側面図である。
【符号の説明】
【００５７】
１        清掃部材保持具
２        保持具本体
２ａ      取付用突起
２ｂ      枢支孔
２ｃ      支持片
２ｄ      枢支孔
２ｅ      切溝
２ｆ      切溝
２ｇ      開孔部
２ｈ      縦溝
２ｉ      水平縁
３        保持片
４        保持片
５        基布
６        パイル
７        モップからなる清掃部材
８        ポケット部
９        ジョイント
１０      柄
１０ａ    二股状下部
１１      ポケット挿入片部
１１ａ    補強用の縁部
１２      ポケット挿入片部
１２ａ    補強用の縁部
１３      板状腕部
１４      板状腕部
１５      長溝
１６      内向き突部
１７      外向き枢支軸部
１８      内向き枢支軸部
１９      保持側係止片
１９ａ    テーパー面
２０      突片
２０ａ    先端係合面
２０ｂ    テーパー面
２１      係止部材
２１ａ    テーパー面
２２      弾性部
２３      係止爪
２３ａ    テーパー面
２４      凹部
２５      係合用突起
２５ａ    テーパー面
２６      押圧部材
２６ａ    テーパー面
２６ｂ    突出片
２６ｃ    円弧面
２６ｄ    突起
２７      バネ受け部材
２８      スプリング
２９      回転軸
３０      係止手段
３１      係止解除手段
３２      ロック解除状態保持手段
【図１】
2006110060.tif 000003
【図２】
2006110060.tif 000004
【図３】
2006110060.tif 000005
【図４】
2006110060.tif 000006
【図５】
2006110060.tif 000007
【図６】
2006110060.tif 000008
【図７】
2006110060.tif 000009
【図８】
2006110060.tif 000010
【図９】
2006110060.tif 000011
【図１０】
2006110060.tif 000012
【図１１】
2006110060.tif 000013
【図１２】
2006110060.tif 000014
【図１３】
2006110060.tif 000015
【図１４】
2006110060.tif 000016
【図１５】
2006110060.tif 000017
【図１６】
2006110060.tif 000018
【図１７】
2006110060.tif 000019
【図１８】
2006110060.tif 000020
【図１９】
2006110060.tif 000021
【図２０】
2006110060.tif 000022
【図２１】
2006110060.tif 000023
【図２２】
2006110060.tif 000024
【図２３】
2006110060.tif 000025